(57)【要約】【課題】煩雑な処理を伴うことなく、かつ記録媒体に対する記録速度の制約を設けることなく、連写性能を向上させることができるデジタルカメラを得る。【解決手段】周期的な記録禁止期間が設けられた２枚の記録媒体３６Ａ、３６Ｂが装着された状態での連続撮影時に、ＣＰＵ２１は、各々各撮影によって連続的に得られた１枚の被写体像を示す複数のデジタル画像データを記録媒体３６Ａ、３６Ｂに対して各記録媒体毎に被写体像単位で記録すると共に、記録禁止期間には他の記録媒体に他のデジタル画像データを記録するように記録先を交互に切り替えて各デジタル画像データを記録する。【選択図】        図１
2004242126.tif 000002
【特許請求の範囲】
【請求項１】
周期的な記録禁止期間が設けられた記録媒体の含まれた複数の記録媒体が装着可能に構成されたデジタルカメラであって、
連続撮影時に、各々各撮影によって連続的に得られた１枚の被写体像を示す複数の画像情報を前記複数の記録媒体に対して各記録媒体毎に被写体像単位で記録すると共に、前記記録禁止期間が設けられた記録媒体に画像情報を記録する場合に、当該記録禁止期間には他の記録媒体に他の画像情報を記録するように記録先を交互に切り替えて各画像情報を記録する画像情報記録手段
を備えたデジタルカメラ。
【請求項２】
前記他の記録媒体を、周期的な記録禁止期間が設けられたものとした請求項１記載のデジタルカメラ。
【請求項３】
前記周期的な記録禁止期間が設けられた記録媒体をフラッシュメモリとし、
前記画像情報記録手段は、前記フラッシュメモリから記録禁止期間を示すビジー信号が出力されたタイミングに同期して前記記録先の切り替えを行う
請求項１又は請求項２記載のデジタルカメラ。
【請求項４】
前記画像情報を前記記録媒体に記録する前に一時的に記憶する記憶手段を更に備えた請求項１乃至請求項３の何れか１項記載のデジタルカメラ。
【発明の詳細な説明】
【０００１】
【発明の属する技術分野】
本発明は、デジタルカメラに係り、特に、複数の記録媒体が装着可能に構成されたデジタルカメラに関する。
【０００２】
【従来の技術】
近年、ＣＣＤ（Ｃｈａｒｇｅ  Ｃｏｕｐｌｅｄ  Ｄｅｖｉｃｅ、電荷結合素子）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージ・センサ等の撮像素子の高解像度化に伴い、デジタルカメラの需要が急増している。
【０００３】
また、近年のデジタルカメラには、様々な撮影状況や目的に対応するために、撮影によって得られた画像情報を記録するためのスマート・メディア（ＳｍａｒｔＭｅｄｉａ（Ｒ））、コンパクト・フラッシュ（ＣｏｍｐａｃｔＦｌａｓｈ）、マイクロドライブ等の複数の記録媒体が装着可能に構成されたものも多数製品化されている。
【０００４】
一方、連続的に画像を撮影する、所謂連写の可能なデジタルカメラでは一般に、撮像系から読み出した画像情報又は各種信号処理後の当該画像情報を、ＤＲＡＭ（Ｄｙｎａｍｉｃ  Ｒａｎｄｏｍ  Ａｃｃｅｓｓ  Ｍｅｍｏｒｙ）等の高速記録の可能な内部メモリに容量的に記録可能な枚数だけ一旦保存した後、記録媒体に順次記録する方法が採られている。この種のデジタルカメラでは、次の２つの条件が連写の性能を決定する。
▲１▼撮像系からの画像情報の読み出し速度
▲２▼内部メモリの記憶容量
すなわち、▲１▼が単位時間当たりの撮影枚数（枚／秒）を、▲２▼が連写可能枚数を、各々決定する。
【０００５】
図４には、画像情報を内部メモリに容量的に記録可能な枚数だけ一旦保存した後、記録媒体に順次記録する場合の連写時の画像情報記録シーケンスが示されている。同図に示すように、この場合、連写によって得られた画像情報は内部メモリに記録可能な量（同図では、被写体像３枚分に相当する画像情報）だけリアルタイムで蓄積された後、これらの画像情報が順次読み出され、各種信号処理が施された後に記録媒体に記録される。このときの内部メモリに記録可能な画像情報の量に相当する被写体像の枚数（ここでは、３枚）が連写可能枚数となる。
【０００６】
通常、デジタルカメラに装着可能な記録媒体の記録速度は内部メモリに比較して遅く、画像情報を記録媒体に直接記録することが難しいため、上記のような連写の方法が一般に採られている。或いは、連写によって得られた画像情報を記録媒体に直接記録することができるとしても、記録媒体の記録速度を超えた連写速度での記録は困難であるため、高速な連写を可能とするためには画像情報を高圧縮率にて圧縮して容量を低減させた後に記録することが必要とされる。
【０００７】
一方、記録媒体として従来から広く用いられているフラッシュメモリ（Ｆｌａｓｈ  Ｍｅｍｏｒｙ）は大容量化が容易である反面、記録速度が内部メモリに比べて遅い欠点がある。
【０００８】
すなわち、図５に示すように、フラッシュメモリは、内部レジスタと、ページ単位でアクセス可能なメモリセルと、を含んで構成されており、記録対象とする情報は、外部から内部レジスタに一旦記録された後に、ページ単位でメモリセルに記録されることになる。
【０００９】
フラッシュメモリでは、このページ単位でメモリセルに情報を記録している期間に外部から内部レジスタへのアクセスが禁止されるため、この期間が記録速度の遅いことの大きな要因となっている。
【００１０】
従って、フラッシュメモリのようにアクセスが禁止される期間（本明細書では、「記録禁止期間」という。）の存在する記録媒体を、連写によって得られた画像情報をリアルタイムで記録するための記録媒体として適用した場合には、画像情報を記録するのに十分な記録速度を得ることができず、連写性能を向上させることが困難である、という問題点があった。
【００１１】
従来、前述したような複数の記録媒体が装着可能に構成されたデジタルカメラにおいて、連写性能を向上させるために適用できる技術として、装着された複数の記録媒体の書き込み速度を検出し、当該書き込み速度に基づいて画像情報を記録する記録媒体を選択して用いる技術（以下、「第１の技術」という。）があった（例えば、特許文献１参照。）。
【００１２】
また、記録速度の異なる２枚の記録媒体が装着可能とされたデジタルカメラにおいて、記録媒体の前段に一次記憶バッファを有し、当該一次記憶バッファに蓄えた画像情報を記録速度が速いほうの記録媒体に記録し、その後に他方の記録媒体に転送する技術（以下、「第２の技術」という。）もあった（例えば、特許文献２参照。）。
【００１３】
【特許文献１】
特開２００１−３５２５１０公報
【特許文献２】
特開２００１−１７７７９３公報
【００１４】
【発明が解決しようとする課題】
しかしながら、上記第１の技術では、装着された複数の記録媒体の書き込み速度を検出し、この検出結果に基づいて記録媒体を選択して画像情報を記録する必要があり、処理が繁雑である、という問題点があった。
【００１５】
また、上記第２の技術では、装着対象とする記録媒体を記録速度が異なるものとする必要がある、という問題点があった。
【００１６】
本発明は上記問題点を解決するためになされたものであり、煩雑な処理を伴うことなく、かつ記録媒体に対する記録速度の制約を設けることなく、連写性能を向上させることができるデジタルカメラを提供することを目的とする。
【００１７】
【課題を解決するための手段】
上記目的を達成するために、請求項１記載のデジタルカメラは、周期的な記録禁止期間が設けられた記録媒体の含まれた複数の記録媒体が装着可能に構成されたデジタルカメラであって、連続撮影時に、各々各撮影によって連続的に得られた１枚の被写体像を示す複数の画像情報を前記複数の記録媒体に対して各記録媒体毎に被写体像単位で記録すると共に、前記記録禁止期間が設けられた記録媒体に画像情報を記録する場合に、当該記録禁止期間には他の記録媒体に他の画像情報を記録するように記録先を交互に切り替えて各画像情報を記録する画像情報記録手段が備えられている。
【００１８】
請求項１に記載のデジタルカメラでは、周期的な記録禁止期間が設けられた記録媒体の含まれた複数の記録媒体が装着される。なお、上記記録媒体には、スマート・メディア、コンパクト・フラッシュ、ＡＴＡ（ＡＴ  Ａｔｔａｃｈｍｅｎｔ）カード、フロッピィディスク、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔａｂｌｅ）、光磁気ディスク、マイクロドライブ等の可搬記録媒体を含めることができる。
【００１９】
ここで、本発明では、連続撮影時に、画像情報記録手段により、各々各撮影によって連続的に得られた１枚の被写体像を示す複数の画像情報が上記複数の記録媒体に対して各記録媒体毎に被写体像単位で記録されると共に、上記記録禁止期間が設けられた記録媒体に画像情報が記録される場合に、当該記録禁止期間には他の記録媒体に他の画像情報が記録されるように記録先を交互に切り替えて各画像情報が記録される。
【００２０】
このように、請求項１に記載のデジタルカメラによれば、周期的な記録禁止期間が設けられた記録媒体の含まれた複数の記録媒体が装着され、連続撮影時に、各々各撮影によって連続的に得られた１枚の被写体像を示す複数の画像情報を上記複数の記録媒体に対して各記録媒体毎に被写体像単位で記録すると共に、上記記録禁止期間が設けられた記録媒体に画像情報を記録する場合に、当該記録禁止期間には他の記録媒体に他の画像情報を記録するように記録先を交互に切り替えて各画像情報を記録しているので、上記記録禁止期間が設けられた記録媒体に画像情報を記録する場合における当該記録禁止期間にも画像情報を記録することができ、この結果として、記録媒体の書き込み速度を検出するといった煩雑な処理を伴うことなく、かつ記録媒体に対する記録速度の制約を設けることなく、連写性能を向上させることができる。
【００２１】
また、請求項２記載のデジタルカメラは、請求項１に記載の発明において、前記他の記録媒体を、周期的な記録禁止期間が設けられたものとしたものである。
【００２２】
請求項２に記載のデジタルカメラによれば、画像情報記録手段により、各々各撮影によって連続的に得られた１枚の被写体像を示す複数の画像情報が上記複数の記録媒体に対して各記録媒体毎に被写体像単位で記録されると共に、上記記録禁止期間が設けられた記録媒体に画像情報が記録される場合に、当該記録禁止期間には、周期的な記録禁止期間が設けられた他の記録媒体に他の画像情報が記録されるように記録先を交互に切り替えて各画像情報が記録される。
【００２３】
すなわち、本発明は、記録禁止期間が設けられた複数の記録媒体に対して画像情報を交互に記録するものであり、この場合は、これらの各記録媒体における記録禁止期間には他の記録禁止期間以外の期間とされている記録媒体に画像情報を記録することになるので、記録禁止期間が設けられた複数の記録媒体に対して画像情報を記録する場合においても、連写性能を向上させることができる。
【００２４】
このように、請求項２に記載のデジタルカメラによれば、本発明の他の記録媒体を、周期的な記録禁止期間が設けられたものとしているので、記録禁止期間が設けられた複数の記録媒体に対して画像情報を記録する場合においても、連写性能を向上させることができる。
【００２５】
ところで、前述したように、デジタルカメラに装着可能な記録媒体としてフラッシュメモリが従来から広く用いられている。例えば、スマート・メディアやコンパクト・フラッシュでは、記憶媒体としてフラッシュメモリが用いられている。
【００２６】
そこで、請求項３記載のデジタルカメラは、請求項１又は請求項２に記載の発明において、前記周期的な記録禁止期間が設けられた記録媒体をフラッシュメモリとし、前記画像情報記録手段は、前記フラッシュメモリから記録禁止期間を示すビジー信号が出力されたタイミングに同期して前記記録先の切り替えを行うものである。
【００２７】
請求項３に記載のデジタルカメラによれば、画像情報記録手段により、記録媒体としてのフラッシュメモリから記録禁止期間を示すビジー信号が出力されたタイミングに同期して上記記録先の切り替えが行われる。
【００２８】
このように、請求項３に記載のデジタルカメラによれば、本発明の記録禁止期間が設けられた記録媒体をフラッシュメモリとしたので、汎用性を向上することができると共に、フラッシュメモリから記録禁止期間を示すビジー信号が出力されたタイミングに同期して記録先の切り替えを行っているので、当該切り替えを容易かつ正確に行うことができる。
【００２９】
更に、請求項４記載のデジタルカメラは、請求項１乃至請求項３の何れか１項に記載の発明において、前記画像情報を前記記録媒体に記録する前に一時的に記憶する記憶手段を更に備えたものである。
【００３０】
請求項４に記載のデジタルカメラによれば、画像情報が本発明の記録媒体に記録される前に記憶手段によって一時的に記憶される。なお、上記記憶手段には、ＤＲＡＭ、ＶＲＡＭ（Ｖｉｄｅｏ  ＲＡＭ）等の半導体記憶素子を含めることができる。
【００３１】
このように、請求項４に記載のデジタルカメラによれば、画像情報を本発明の記録媒体に記録する前に一時的に記憶する記憶手段を備えているので、画像情報の記憶手段への記憶と記録媒体への記録とを並行して行うことができ、この結果として単位時間当たりの撮影枚数を増加させることができる。
【００３２】
【発明の実施の形態】
以下、図面を参照して、本発明の実施の形態について詳細に説明する。まず、図１を参照して、本実施の形態に係るデジタルカメラ１０の構成を説明する。
【００３３】
同図に示されるように、このデジタルカメラ１０には、被写体像を結像させるためのレンズ１２と、レンズ１２の光軸後方に配設された電荷結合素子（以下、「ＣＣＤ」という。）１４と、入力されたアナログ信号に対してＣＤＳ（相関２重サンプリング処理）等の各種のアナログ信号処理を行った後にデジタルデータに変換する前処理部１６と、撮影を実行する際に押圧操作されるシャッター（所謂レリーズボタン）１８と、デジタルカメラ１０の全体的な動作を司る主制御部２０と、ＣＣＤ１４に対する垂直同期信号を生成する垂直ドライバ３０と、が備えられている。
【００３４】
一方、主制御部２０には、ＣＰＵ（中央演算処理装置）２１と、入力されたデジタルデータに対して各種デジタル信号処理を行う信号処理部２２と、入力された未圧縮のデジタルデータに対して予め定められた圧縮形式（本実施の形態では、ＪＰＥＧ形式）で圧縮処理を施す一方、入力された圧縮済みのデジタルデータに対して圧縮形式に応じた伸張形式で伸張処理を施す圧縮・伸張部２３と、主制御部２０の外部に配置された各部との間の情報の授受を司る入出力制御部（以下、「Ｉ／Ｏ」という。）２４と、が備えられている。
【００３５】
また、主制御部２０には、装着された記録媒体に対するアクセスの制御を行うメディアインタフェース（以下、「メディアＩ／Ｆ」という。）２５と、被写体像やメニュー画面等を不図示の液晶ディスプレイに表示させるための信号を生成して当該液晶ディスプレイに供給する表示制御部２６と、外部装置との間のＵＳＢ（Ｕｎｉｖｅｒｓａｌ  Ｓｅｒｉａｌ  Ｂｕｓ）規格による相互通信を司るＵＳＢインタフェース（以下、「ＵＳＢＩ／Ｆ」という。）２７と、内部メモリに対するアクセスの制御を行うメモリ制御部２８と、が備えられている。
【００３６】
ＣＰＵ２１、信号処理部２２、圧縮・伸張部２３、Ｉ／Ｏ２４、メディアＩ／Ｆ２５、表示制御部２６、ＵＳＢＩ／Ｆ２７、及びメモリ制御部２８は、バスＢ１を介して相互に接続されている。
【００３７】
従って、ＣＰＵ２１は、信号処理部２２及び圧縮・伸張部２３の作動の制御、Ｉ／Ｏ２４を介した各部との間の情報の授受、装着された記録媒体へのメディアＩ／Ｆ２５を介したアクセス、不図示の液晶ディスプレイへの表示制御部２６を介した各種情報の表示、外部装置との間のＵＳＢＩ／Ｆ２７を介したＵＳＢ規格による相互通信、及び内部メモリへのメモリ制御部２８を介したアクセス、を各々行うことができる。
【００３８】
ここで、シャッター１８はＣＰＵ２１に接続されており、ＣＰＵ２１は、シャッター１８に対する押圧操作の状態を常時把握することができる。
【００３９】
また、信号処理部２２の入力端は前処理部１６を介してＣＣＤ１４の出力端に接続されており、Ｉ／Ｏ２４の出力端は垂直ドライバ３０を介してＣＣＤ１４の入力端に接続されている。従って、被写体に対する撮像によってＣＣＤ１４から出力された被写体像を示すアナログ信号は前処理部１６において各種アナログ信号処理が施された後にデジタル画像データに変換されて信号処理部２２に入力され、各種デジタル信号処理が施された後にメモリ制御部２８を介して内部メモリ（詳細には、後述するＳＤＲＡＭ３２）に一旦記憶される。また、このときのＣＣＤ１４による撮像動作は、ＣＰＵ２１によるＩ／Ｏ２４を介した制御によって垂直ドライバ３０により生成された垂直同期信号に同期して行われる。
【００４０】
一方、デジタルカメラ１０には、上記内部メモリとしてＳＤＲＡＭ（Ｓｙｎｃｈｒｏｎｏｕｓ  ＤＲＡＭ）３２及びＲＯＭ３４が備えられており、これらのメモリはバスＢ２を介してメモリ制御部２８に接続されている。従って、ＣＰＵ２１は、メモリ制御部２８及びバスＢ２を介してＳＤＲＡＭ３２及びＲＯＭ３４にアクセスすることができる。
【００４１】
また、デジタルカメラ１０には、記録媒体３６Ａ及び記録媒体３６Ｂの２枚の記録媒体が装着可能とされており、これらの記録媒体は装着された状態でバスＢ３を介してメディアＩ／Ｆ２５に接続される。従って、ＣＰＵ２１は、メディアＩ／Ｆ２５及びバスＢ３を介して記録媒体３６Ａ及び記録媒体３６Ｂにアクセスすることができる。なお、本実施の形態のデジタルカメラ１０では、記録媒体３６Ａとしてスマート・メディアが、記録媒体３６Ｂとしてコンパクト・フラッシュが、各々適用されている。
【００４２】
ここで、本実施の形態に係るデジタルカメラ１０には、連写を行う機能が備えられていると共に、ＳＤＲＡＭ３２には、所定枚（本実施の形態では、４枚）の被写体像に相当するデジタル画像データを記憶することのできる領域（以下、「画像情報記憶領域」という。）が確保されており、連写を行う際には、信号処理部２２から出力されたデジタル画像データが当該領域に被写体像単位で時間系列順に記憶されていき、上記所定枚分のデジタル画像データが記憶されると、当該領域の先頭アドレスから再び被写体像単位で時間系列順に記憶されることが繰り返される。
【００４３】
なお、デジタルカメラ１０には、連写を行う際に操作される不図示の連写実行スイッチが備えられており、当該連写実行スイッチが操作された際にＣＰＵ２１は、シャッター１８が押圧されている間に所定撮影間隔での連写を行うように各部を制御する。
【００４４】
次に、図２及び図３を参照しつつ、本実施の形態に係るデジタルカメラ１０の連写時における作用を説明する。
【００４５】
図２及び図３に示すように、ユーザによってシャッター１８が押圧されると連写が開始され、当該連写による各撮影によって連続的に得られた被写体像を示すデジタル画像データはＳＤＲＡＭ３２の画像情報記憶領域に順次記憶されていく。
【００４６】
このとき、ＣＰＵ２１は、２枚目までの被写体像に対応するデジタル画像データ（図２及び図３では、‘Ａ’及び‘Ｂ’と表記。）の記憶が終了した時点で、これらのデジタル画像データをＳＤＲＡＭ３２から読み出すと共に、メディアＩ／Ｆ２５及びバスＢ３を介して１枚目の被写体像に対応するデジタル画像データ（以下、「第１画像データ」という。）を記録媒体３６Ａへ、２枚目の被写体像に対応するデジタル画像データ（以下、「第２画像データ」という。）を記録媒体３６Ｂへ、各々記録する。
【００４７】
このとき、ＣＰＵ２１は、まず、記録媒体３６Ａに対して第１画像データの記録を開始する。
【００４８】
ここで、本実施の形態に係る記録媒体３６Ａ及び記録媒体３６Ｂは共にフラッシュ・メモリが用いられているスマート・メディア及びコンパクト・フラッシュとされており、各記録媒体では当該フラッシュ・メモリのページサイズ分だけデジタル画像データを入力すると、記録禁止期間を示すビジー信号を出力する。
【００４９】
そこで、ＣＰＵ２１は、当該ビジー信号が記録媒体３６ＡからバスＢ３、メディアＩ／Ｆ２５、バスＢ１を順に介して入力されると、このタイミングに同期してデジタル画像データの記録先を記録媒体３６Ｂに切り替えて第２画像データの記録を開始する。
【００５０】
すると、記録媒体３６Ｂで用いられているフラッシュ・メモリのページサイズ分だけデジタル画像データを入力すると記録媒体３６Ｂからビジー信号が入力されるので、ＣＰＵ２１は、デジタル画像データの記録先を記録媒体３６Ａに切り替えて第１画像データの記録を再開する。
【００５１】
ＣＰＵ２１は、以上の記録動作を第１画像データ及び第２画像データの各記録媒体への記録が終了するまで繰り返して行う。これによって、これらのデジタル画像データの各記録媒体への記録が完了する。
【００５２】
その後、ＣＰＵ２１は、ＳＤＲＡＭ３２への４枚目までの被写体像に対応するデジタル画像データ（図２及び図３では、‘Ｃ’及び‘Ｄ’と表記。）の記憶が終了した時点で、３枚目及び４枚目の被写体像に対応するデジタル画像データをＳＤＲＡＭ３２から読み出すと共に、メディアＩ／Ｆ２５及びバスＢ３を介して３枚目の被写体像に対応するデジタル画像データを記録媒体３６Ａへ、４枚目の被写体像に対応するデジタル画像データを記録媒体３６Ｂへ、各々記録する。なお、このときの記録は、上述した１枚目及び２枚目の被写体像に対応するデジタル画像データの各記録媒体への記録と同様の手順で行う。これによって、３枚目及び４枚目に対応するデジタル画像データの各記録媒体への記録が完了する。
【００５３】
デジタルカメラ１０では、以上のようにして１枚目から４枚目までの被写体像に対応するデジタル画像データの記録媒体への記録が完了すると、以上と同様に、５枚目以降の被写体に対応するデジタル画像データの記録媒体への記録を行う。
【００５４】
なお、デジタル画像データの被写体像の２枚単位での記録媒体への記録を行っているとき、これと同時に、次の被写体像２枚分のデジタル画像データのＳＤＲＡＭ３２への記録が並行して行われる。このように、本実施の形態に係るデジタルカメラ１０では、デジタル画像データのＳＤＲＡＭ３２への記憶と記録媒体への記録とを並行して行っているので、これを行わない場合に比較して、単位時間当たりの撮影枚数を増加させることができる。
【００５５】
以上詳細に説明したように、本実施の形態に係るデジタルカメラ１０は、周期的な記録禁止期間が設けられた２枚の記録媒体３６Ａ、３６Ｂが装着され、連続撮影時に、各々各撮影によって連続的に得られた１枚の被写体像を示す複数のデジタル画像データを記録媒体３６Ａ、３６Ｂに対して各記録媒体毎に被写体像単位で記録すると共に、記録禁止期間には他の記録媒体に他のデジタル画像データを記録するように記録先を交互に切り替えて各デジタル画像データを記録しているので、記録禁止期間にも画像情報を記録することができ、この結果として、記録媒体の書き込み速度を検出するといった煩雑な処理を伴うことなく、かつ記録媒体に対する記録速度の制約を設けることなく、連写性能を向上させることができる。
【００５６】
また、本実施の形態に係るデジタルカメラ１０は、本発明の記録媒体をフラッシュメモリを含んで構成されたスマート・メディア及びコンパクト・フラッシュとしたので、汎用性を向上することができると共に、フラッシュメモリから記録禁止期間を示すビジー信号が出力されたタイミングに同期して記録先の切り替えを行っているので、当該切り替えを容易かつ正確に行うことができる。
【００５７】
更に、本実施の形態に係るデジタルカメラ１０は、デジタル画像データを記録媒体に記録する前に一時的に記憶するＳＤＲＡＭ３２を備えているので、デジタル画像データのＳＤＲＡＭ３２への記憶と記録媒体への記録とを並行して行うことができ、この結果として単位時間当たりの撮影枚数を増加させることができる。
【００５８】
なお、本実施の形態では、本発明の複数の記録媒体として記録媒体３６Ａ及び記録媒体３６Ｂの２枚の記録媒体を適用した場合について説明したが、本発明はこれに限定されるものではなく、例えば、３枚以上の記録媒体を適用する形態とすることもできる。
【００５９】
この場合は、これら複数の記録媒体が装着された状態での連続撮影時に、各々各撮影によって連続的に得られた１枚の被写体像を示す複数のデジタル画像データを上記複数の記録媒体に対して各記録媒体毎に被写体像単位で記録すると共に、記録禁止期間には他の記録媒体に他のデジタル画像データを記録するように記録先を交互に切り替えて各デジタル画像データを記録することになる。この場合にも、本実施の形態と同様の効果を奏することができる。
【００６０】
また、本実施の形態では、記録媒体３６Ａ及び記録媒体３６Ｂの双方とも、周期的な記録禁止期間が設けられたものとした場合について説明したが、本発明はこれに限定されるものではなく、何れか一方については、記録禁止期間が設けられていない記録媒体とすることもできる。この場合は、記録禁止期間が設けられた記録媒体における当該記録禁止期間を利用して、記録禁止期間が設けられていない記録媒体へのデジタル画像データの記録が行われることになる。この場合にも、本実施の形態と同様の効果を奏することができる。
【００６１】
また、本実施の形態で説明した画像情報記録シーケンス（図２参照）の流れは一例であり、本発明の主旨を逸脱しない範囲内において適宜変更可能であることは言うまでもない。
【００６２】
更に、本実施の形態に係るデジタルカメラ１０の構成（図１参照）も一例であり、本発明の主旨を逸脱しない範囲内において適宜変更可能であることは言うまでもない。
【００６３】
【発明の効果】
以上説明した如く本発明によれば、周期的な記録禁止期間が設けられた記録媒体の含まれた複数の記録媒体が装着され、連続撮影時に、各々各撮影によって連続的に得られた１枚の被写体像を示す複数の画像情報を上記複数の記録媒体に対して各記録媒体毎に被写体像単位で記録すると共に、上記記録禁止期間が設けられた記録媒体に画像情報を記録する場合に、当該記録禁止期間には他の記録媒体に他の画像情報を記録するように記録先を交互に切り替えて各画像情報を記録しているので、上記記録禁止期間が設けられた記録媒体に画像情報を記録する場合における当該記録禁止期間にも画像情報を記録することができ、この結果として、記録媒体の書き込み速度を検出するといった煩雑な処理を伴うことなく、かつ記録媒体に対する記録速度の制約を設けることなく、連写性能を向上させることができる、という効果が得られる。
【図面の簡単な説明】
【図１】実施の形態に係るデジタルカメラの構成を示すブロック図である。
【図２】実施の形態に係るデジタルカメラにおける連写時の画像情報記録シーケンスを示すシーケンス図である。
【図３】実施の形態に係る画像情報記録シーケンスの説明に供する模式図である。
【図４】従来技術の説明に供する図であり、画像情報を内部メモリに容量的に記録可能な枚数だけ一旦保存した後、記録媒体に順次記録する場合の連写時の画像情報記録シーケンスを示すシーケンス図である。
【図５】従来技術の問題点の説明に供する図であり、フラッシュメモリの内部構成及び画像情報の記録手順を示す模式図である。
【符号の説明】
１０    デジタルカメラ
２１    ＣＰＵ（画像情報記録手段）
３２    ＳＤＲＡＭ（記憶手段）
３６Ａ、３６Ｂ    記録媒体
【図１】
2004242126.tif 000003
【図２】
2004242126.tif 000004
【図３】
2004242126.tif 000005
【図４】
2004242126.tif 000006
【図５】
2004242126.tif 000007